(57)【要約】【課題】取扱いかたを簡単に理解することが可能な画像処理装置を提供する。【解決手段】画像処理装置１は、画像処理装置１のユーザについて個人認証をする認証部３３と、画像処理装置１の取扱の習熟度を認証部３３で認証されたユーザ毎に演算する演算部３７と、演算部３７での演算結果に基づいて画像処理装置１の取扱の習熟度が高いユーザを知らせる案内部３９と、を備える。【選択図】図２
2008054242.tif 000002
【特許請求の範囲】
【請求項１】
画像処理装置であって、
前記画像処理装置のユーザについて個人認証をする認証部と、
前記画像処理装置の取扱の習熟度を前記認証部で認証されたユーザ毎に演算する演算部と、
前記演算部での演算結果に基づいて前記画像処理装置の取扱の習熟度が高いユーザを知らせる案内部と、を備える
ことを特徴とする画像処理装置。
【請求項２】
前記案内部は、ユーザの指示により前記画像処理装置の取扱の習熟度が高いユーザを知らせる
ことを特徴とする請求項１に記載の画像処理装置。
【請求項３】
前記画像処理装置は、コピー機能、ファクシミリ機能、スキャナ機能及びプリンタ機能のうち少なくとも二つの機能を有し、
前記画像処理装置の取扱の習熟度は、前記指示をするユーザによって指定された機能の操作の習熟度である
ことを特徴とする請求項２に記載の画像処理装置。
【請求項４】
前記画像処理装置は、階層メニューが表示される表示部をさらに備え、
前記画像処理装置の取扱の習熟度は、前記指示をするユーザによって指定された階層でのメニュー操作の習熟度である
ことを特徴とする請求項２又は３に記載の画像処理装置。
【請求項５】
前記案内部は、前記画像処理装置の取扱の習熟度が高いユーザをランク付けで知らせる
ことを特徴とする請求項１〜４のいずれか一項に記載の画像処理装置。
【発明の詳細な説明】
【技術分野】
【０００１】
本発明は、例えば、コピー機、ファクシミリ機、スキャナ、プリンタ又はこれらの機能を有するデジタル複合機のような画像処理装置に関する。
【背景技術】
【０００２】
近年、画像処理装置は多機能化し、それに伴い操作の仕方を説明する取扱説明書が厚くなっている。取扱説明書を読まなくても操作の仕方が分かるように、ユーザの操作の習熟度に応じて内容が異なる操作メニューを、タッチパネルに表示したり、音声ガイダンスしたりする機能を備えた操作表示装置が提案されている（例えば特許文献１参照）。
【特許文献１】特開２００４−１３７３６号公報
【発明の開示】
【発明が解決しようとする課題】
【０００３】
しかし、上記操作表示装置を利用しても、操作しているユーザ自身が操作の仕方を理解しなければならず、結局、操作の仕方が分からないことがある。
【０００４】
本発明の目的は、取扱いかたを簡単に理解することが可能な画像処理装置を提供することである。
【課題を解決するための手段】
【０００５】
本発明に係る画像処理装置は、前記画像処理装置のユーザについて個人認証をする認証部と、前記画像処理装置の取扱の習熟度を前記認証部で認証されたユーザ毎に演算する演算部と、前記演算部での演算結果に基づいて前記画像処理装置の取扱の習熟度が高いユーザを知らせる案内部と、を備える。
【０００６】
本発明に係る画像処理装置において、前記案内部は、ユーザの指示により前記画像処理装置の取扱の習熟度が高いユーザを知らせる、ようにすることができる。
【０００７】
本発明に係る画像処理装置は、コピー機能、ファクシミリ機能、スキャナ機能及びプリンタ機能のうち少なくとも二つの機能を有し、前記画像処理装置の取扱の習熟度は、前記指示をするユーザによって指定された機能の操作の習熟度である、ようにすることができる。
【０００８】
本発明に係る画像処理装置は、階層メニューが表示される表示部をさらに備え、前記画像処理装置の取扱の習熟度は、前記指示をするユーザによって指定された階層でのメニュー操作の習熟度である、ようにすることができる。
【０００９】
本発明に係る画像処理装置において、前記案内部は、前記画像処理装置の取扱の習熟度が高いユーザをランク付けで知らせる、ようにすることができる。
【発明の効果】
【００１０】
本発明に係る画像処理装置によれば、画像処理装置の取扱の習熟度が高いユーザを知ることができるので、画像処理装置の取扱に困ったユーザは、習熟度が高いユーザに取扱いかたを尋ねることにより、取扱いかたを簡単に理解することが可能になる。
【発明を実施するための最良の形態】
【００１１】
本発明の実施形態について図面を用いて説明する。図１は、本実施形態に係る画像処理装置１のハードウェア構成を示すブロック図である。画像処理装置１は、デジタル複合機である。本発明に係る画像処理装置としては、デジタル複合機以外に、例えば、コピー機、ファクシミリ機、スキャナ又はプリンタでもよい。
【００１２】
画像処理装置１は、制御部３、画像読取部５、画像記録部７、表示部９、操作部１１、モデム１３、ＮＣＵ１５、ＲＯＭ１７、ＲＡＭ１９、画像メモリ２１、コーデック２３、ＬＡＮインターフェース２５等が相互にバス２７で接続された構成を有する。制御部３は、例えばＣＰＵにより実現されており、画像処理装置１を構成する上記ハードウェアを制御すると共に画像処理装置１の動作に必要なソフトウェアを実行する。
【００１３】
画像読取部５は、ＣＣＤ等によって画像（文字、図、写真等）を読み取って画像データとして出力する。画像記録部７は、電子写真方式等のプリンタであり、画像読取部５から出力された画像データやファクシミリ通信により受信した別のファクシミリ装置からの画像データを画像に戻し、この画像が記録された用紙を出力する。
【００１４】
表示部９は、画像処理装置１の動作状態、相手先名、各種設定内容等を表示する。表示部９は、ＬＣＤ、ＣＲＴ等で実現される。操作部１１は、画像処理装置１の操作に必要なキー（テンキー、スタートキー、リセットキー、各種のファンクションキー等）を備える。
【００１５】
モデム１３は、通常のファクシミリ通信用のファクシミリモデムの機能を有する。また、モデム１３は、ＮＣＵ１５と直接に接続されている。ＮＣＵ１５は、公衆電話回線Ｌを閉結及び開放する機能の他に、通信相手の電話番号に応じたダイヤルパルスを送出する機能及び着信を検出する機能を有する。また、ＮＣＵ１５は、モデム１３を必要に応じて公衆電話回線Ｌに接続する。
【００１６】
ＲＯＭ１７は、フラッシュメモリ等により実現されており、画像処理装置１の動作に必要なソフトウェアを記憶している。ＲＡＭ１９は、ＳＲＡＭ、ＤＲＡＭ等により実現されており、ソフトウェアの実行時に発生するデータを一時的に記憶したり、アプリケーションソフト等を記憶したりする。
【００１７】
画像メモリ２１は、ＤＲＡＭ等で実現されており、送信すべき画像データ、受信した画像データ、画像読取部５から出力された画像データ等を一時的に記憶する。コーデック２３は、画像データを符号化圧縮すると共に符号化圧縮されている画像データを復号する。ＬＡＮインターフェース２５は、画像処理装置１がＬＡＮと通信可能に接続するインターフェースである。
【００１８】
図２は、本実施形態に係る画像処理装置１の特徴部分の機能ブロック図である。画像処理装置１は、操作パネル３１、認証部３３、記憶部３５、演算部３７及び案内部３９を備える。
【００１９】
図３は、操作パネル３１の平面図である。操作パネル３１は、モード選択キー５１、タッチパネル５３、テンキー５５、スタートキー５７、リセットキー５９、クリアキー６１等を備える。これらは図１の操作部１１により実現される。各キーは、通常の画像処理装置に備えられるそれらの名称のキーと同様の目的で使用される。例えば、モード選択キー５１は、コピー、プリンタ、スキャナ、ファクシミリのモードの切り替えに用いられる。
【００２０】
タッチパネル５３は、図１の表示部９としての機能も有する。図３のタッチパネル５３には、コピーモードのメニューが表示されている。これは、コピーモードの初期画面であり、コピーを選択するモード選択キー５１を押すと表示される。メニューには、画質等の設定キー６３や案内キー６５が含まれる。案内キー６５を押すと、後で説明するように、画像処理装置１の取扱の習熟度が高いユーザがランク付けでタッチパネル５３に表示される。
【００２１】
タッチパネル５３には、階層メニューが表示される。階層メニューとは、あるメニューに含まれる複数の項目のいずれかを選択すると、別のメニューが表示される構成を有するメニューのことである。階層メニューを具体的に説明する。図３のタッチパネル５３において、「応用機能」の設定キー６３（項目）を押すと、図４に示すようにタッチパネル５３には、コピーの応用機能に関するメニューが表示される。そして、「両面」の設定キー６３（項目）を押すと、図５に示すようにタッチパネル５３には、両面コピーに関するメニューが表示される。このように、図３に示す階層でのメニューより下に図４に示す階層でのメニューが存在し、図４に示す階層でのメニューより下に図５に示す階層でのメニューが存在するのである。
【００２２】
図２の説明に戻る。認証部３３は、画像処理装置１のユーザについて個人認証をする。認証の方法としては、例えば、ＩＤカードが挙げられる。ＩＤカードの場合、ユーザが自己のＩＤカードをリーダに差し込むと、リーダでＩＤカードを読み取り、そのユーザを認証する。
【００２３】
ＲＦタグが埋め込まれているＩＤカードでは、このＩＤカードを持つユーザが画像処理装置１の操作パネル３１の前に立つと、リーダが無線でＲＦタグを読み取り、そのユーザを認証する。ＩＤカードの場合、認証部３３は、ＩＤカードを読み取るリーダ（図示せず）及び図１の制御部３、ＲＡＭ１９等により実現される。
【００２４】
なお、生体認証やパスワード入力で個人認証をしてもよい。また、パソコンを用いて行ったネットワーク認証を認証部３３での個人認証にしてもよい。ネットワーク認証とは、ネットワーク上の資源の使用が許可されるために必要な認証である。
【００２５】
記憶部３５は、画像処理装置１の操作履歴を認証部３３で個人認証された各ユーザと対応付けて記憶する。記憶部３５は、図１のＲＡＭ１９により実現される。図６は、記憶部３５に記憶されている画像処理装置１の操作履歴の一例を示す図である。例えば、「佐藤Ａ子，０６年６月１４日９時３０分，コピー，応用，両面，両面→両面，スタート」は、ユーザである佐藤Ａ子氏が、２００６年６月１４日９時３０分に、両面コピーの操作をしたことを表している。
【００２６】
操作内容のうち、「コピー」及び「応用」は、図３に示すコピーモードのメニュー（初期画面）が表示されたタッチパネル５３において、「応用機能」の設定キー６３を押すと記録される。「コピー」は、図３に示すコピーモードのメニューが表示された状態で、設定キー６３のいずれか又はスタートキー５７を押すと記録される。このようにしたのは、ユーザの操作前に既にコピーモードであると、ユーザはコピーを選択するモード選択キー５１を押さないのが通常だからである。
【００２７】
「両面」は、図４に示すコピーの応用機能に関するメニューが表示された状態で、「両面」の設定キー６３を押すと記録される。「両面→両面」は、図５に示す両面コピーに関するメニューが表示された状態で、「両面→両面」の設定キー６３を押すと記録される。「両面→両面」とは、原稿の両面を用紙の両面にコピーすること、つまり、原稿の第１面を用紙の第１面、原稿の第２面を用紙の第２面にコピーすることを示している。
【００２８】
「スタート」は、スタートキー５７を押して両面コピーを実行すると記録される。次に説明するように、操作履歴を基にして画像処理装置１の操作の習熟度が演算されるので、リセットキー５９が押されたり、スタートキー５７が押されなかったりすれば、その操作に関する記録を消去するようにしている。スタートキー５７を押した時刻が、その操作（両面コピーの操作）をした時刻として記録される。なお、スタートキー５７を押した時に、ユーザ名、操作時刻、操作内容が操作履歴として記憶されるので、操作履歴の中にスタートキー５７を押したことを含めなくてもよい。つまり、操作履歴に記憶されているということはスタートキー５７を押したということであり、このキー５７を押したことを特に記憶する必要はないのである。
【００２９】
演算部３７は、記憶部３５に記憶されている操作履歴に基づいて画像処理装置１の取扱の習熟度をユーザ毎に演算する。すなわち、演算部３７は、画像処理装置１の取扱の習熟度を認証部３３で認証されたユーザ毎に演算する。演算部３７の機能は、図１の制御部３及びＲＡＭ１９により実現される。
【００３０】
操作履歴の代わりに、初期状態から操作状態にされた設定項目をユーザ名及び操作時刻と一緒に記憶部３５に記憶してもよい。この態様について図３〜図５及び図７を用いて説明する。図７は、初期状態から操作状態にされた設定項目を説明する図である。図７に示す内容は、図１に示すＲＡＭ１９に一時的に記憶される。
【００３１】
図７（ａ）は、図３に示すコピーモードのメニューにおいてユーザがいずれの設定キー６３も押していない状態を示している。「画質」、「濃度」、「用紙」、「拡大縮小」、「応用機能」の全ての設定項目に対して初期値「０」が割り当てられている。これらの設定項目の全てが初期状態であることを示している。ユーザが「応用機能」の設定キー６３を押すと、図７（ｂ）に示すようになる。「応用機能」だけが「０」から「１」に変更される。「１」は変更状態を表している。
【００３２】
ユーザが「応用機能」の設定キー６３を押すと、図４に示すコピーの応用機能に関するメニューが表示される。このメニューにおいてユーザがいずれの設定キー６３も押していない状態を示すのが図７（ｃ）である。「集約」、「とじしろ」、・・・、「独立変倍」、「両面」の全ての設定項目が「０」である。これは設定項目の全てが初期状態であることを示している。ユーザが「両面」の設定キー６３を押すと、図７（ｄ）に示すように「両面」だけが変更状態を表す「１」になる。
【００３３】
ユーザが「両面」の設定キー６３を押すと、図５に示す両面コピーに関するメニューが表示される。このメニューにおいてユーザがいずれの設定キー６３も押していない状態を示すのが図７（ｅ）である。「ＯＦＦ」、「片面→両面」、「両面→両面」、・・・、「見開き裏表」の全ての設定項目が初期状態を示す「０」が割り当てられている。ユーザが「両面→両面」の設定キー６３を押すと、図７（ｆ）に示すように「両面→両面」だけが変更状態を表す「１」になる。
【００３４】
ユーザがスタートキー５７を押すと、初期状態から変更状態にされた設定項目がユーザ名及び操作時刻と一緒に図２に示す記憶部３５に記憶される。この例では「佐藤Ａ子，０６年６月１４日９時３０分，応用，両面，両面→両面」が記憶される。この態様では、「コピー」が記憶されていないが、「応用」が記憶されているのでコピー機能を使用していることを判定できる。リセットキー５９を押すと全ての設定項目が初期値「０」にされる。この態様では、操作内容の全てが記憶されるのではなく、操作された設定項目だけが操作内容として記憶される。したがって、コピーの枚数を指示する際に押したテンキー５５、スタートキー５７、クリアキー６１等の習熟度の演算に不必要な内容が記憶部３５に記憶されないので、記憶部３５のメモリ空間を有効に利用することができる。
【００３５】
画像処理装置１の取扱の習熟度には、（１）ユーザによって指定された機能の操作の習熟度、（２）ユーザによって指定された階層でのメニュー操作の習熟度がある。まず、（１）から説明する。ここでの機能とは、コピー機能、ファクシミリ機能、スキャナ機能、プリンタ機能の各機能を意味している。画像処理装置１がそれら四つの機能のうち少なくとも二つの機能を有する場合、ユーザによって指定された機能の操作の習熟度を演算する。
【００３６】
例えば、コピー機能の操作の習熟度の場合、図３に示すコピーモードのメニューが表示された状態で、ユーザが案内キー６５を押すと（案内キー６５を押すことは、後で説明するコピー機能の操作の習熟度が高いユーザを表示する指示ともなる）、ユーザ毎にコピーに関する操作の回数をカウントする。得られた数値をコピー機能の操作の習熟度とする。例えば、自動コピー１０回、拡大縮小コピー６回、両面コピー８回、とじしろコピー１回のユーザは、習熟度が「２５」となる。自動コピーの操作については、原稿をセットしてスタートキーを押すだけなのでカウントから除外してもよい。得られた数値が小さいと習熟度が低く、数値が大きいと習熟度が高いと判定される。
【００３７】
操作履歴に基づいて習熟度を演算するので、各ユーザの最新の習熟度を演算することができる。なお、操作の回数でなく、設定キー６３を押した記録の数をカウントし、その数値を習熟度にしてもよい。
【００３８】
同じ操作よりも異なる操作のほうが点数を高くしてもよい。例えば、集約コピー、とじしろコピー、両面コピーの三つの操作の履歴がある場合、一つの操作しか履歴がない場合よりも高い点を与えるようにすれば、両面コピーの操作を３回するよりも集約コピー、とじしろコピー、両面コピーの操作を１回ずつする方が点数が高くなる。すなわち、習熟度の演算では、コピー機能に含まれる同じ内容の機能（例えば両面コピー）をＮ回実行した場合よりも、コピー機能に含まれる異なるＮ個の機能（例えば集約コピー、とじしろコピー、両面コピー）を１回ずつ実行した場合の方が点数が高くなるようにしてもよい。
【００３９】
同様に、階層に応じて点数を変えるようにしてもよい。具体的には、コピー機能に含まれる機能の中で下の階層のメニューでの設定が必要な機能を実行する操作は、上の階層のメニューでの設定だけで済む機能を実行する操作に比べて、点数が高くなるようにする。階層が下がるに従って、複雑な操作になるからである。別の言い方をすれば、一般的に、コピー機能に含まれる機能の中で下の階層のメニューでの設定操作が必要な機能は使用頻度が低いので、そのような機能を使用したことがあるユーザは習熟度が高いユーザであると判断し、点数を高くするのである。
【００４０】
過去にコピー機能の利用回数が多くても、最近、少ない場合、コピー機能の操作の習熟度が低下すると考えられる。したがって、所定時期以前（例えば半年前以前）の操作履歴は、習熟度の演算の対象外にしてもよい。また、操作履歴に記憶された時期に応じて点数を異ならせてもよい。例えば、習熟度を演算する際に、現在時刻に近い時期に記憶された操作ほど点数を高くし、現在時刻から遠い時期に記憶された操作ほど点数を低くして、習熟度を演算するのである。
【００４１】
ファクシミリ機能、スキャナ機能、プリンタ機能の操作の習熟度は、これの機能の初期画面に表示された案内キー６５を押すと、コピー機能の操作の習熟度と同様にして、それらの機能の習熟度が演算される。すなわち、ユーザによって指定された機能の操作の習熟度は、これらの機能の初期画面に表示された案内キー６５を押すことにより演算される。
【００４２】
次に（２）を説明する。ユーザによって指定された階層でのメニュー操作の習熟度は、その階層でのメニューに含まれる案内キー６５を押すことにより演算される。両面コピーの操作の習熟度を例に説明する。図５に示す階層でのメニュー（両面コピーに関するメニュー）の案内キー６５を押すと、この階層でのメニューやこの階層より下の階層でのメニューで設定が必要となる操作、つまり、両面コピーに関連する操作の回数がカウントされる。コピーに関連する操作でも、例えば、集約コピーやとじしろコピーの操作の回数は、カウントされない。
【００４３】
案内部３９は、演算部３７での演算結果に基づいて画像処理装置１の取扱の習熟度が高いユーザを知らせる。本実施形態では、図８に示すように、画像処理装置１の取扱の習熟度が高いユーザをランク付けでタッチパネル５３に表示する。これにより、取扱の習熟度が高いユーザが一目で分かる。図８に示すランキングは、両面コピーの操作の習熟度である。図５に示す両面コピーに関するメニューの案内キー６５を押すと、つまり、ユーザが指示すると、演算部３７で両面コピーの操作の習熟度がユーザ毎に演算され、演算結果に基づいて図８に示すランク付けが表示される。これに対して、例えば図３に示すコピーモードのメニューの案内キー６５を押すと、演算部３７でコピー機能の操作の習熟度がユーザ毎に演算され、演算結果に基づいてコピー機能の操作の習熟度が高いユーザがランク付けで表示される。
【００４４】
ユーザがある操作について習熟度が高いユーザを知りたい場合、操作パネル３１を利用してその操作名を入力することにより、その操作の習熟度が高いユーザが表示されるようにしてもよい。両面コピーを例に説明する。ユーザが「両面コピー」の文字を入力すると、図５の案内キー６５を押した場合に表示される内容と同じ内容を表示する。
【００４５】
ランク付けでなく、各ユーザの習熟度が分かる内容を表示してもよい。この場合は、ユーザの名前に加えて、そのユーザの習熟度も表示される。また、習熟度が高いユーザをタッチパネル５３に表示するのでなく、図１の画像記録部７を用いてプリントアウトしてもよい。習熟度が高いユーザを音声で知らせてもよい。習熟度が高いユーザを、案内キー６５を押すことにより（ユーザの指示により）知らせる構成でなく、定期的にプリントアウトして知らせる構成でもよい。
【００４６】
操作履歴を記憶する記憶部３５を備える構成でなくてもよい。例えば、各ユーザに関する画像処理装置１の操作の習熟度を各ユーザと対応付けて記憶する習熟度記憶部を備える構成でもよい。この構成では、認証部３３で個人認証された各ユーザが、画像処理装置１を用いて一つの操作（例えば両面コピー）をすると、その操作に割り当てられた点数を習熟度記憶部に記憶されているそのユーザの習熟度に加え、それを習熟度として習熟度記憶部に記憶させる。この構成では、ユーザが一つの操作をする毎にそのユーザの習熟度が更新される。
【００４７】
習熟度記憶部を備える構成では、案内キー６５を押すと、案内部３９が習熟度記憶部に記憶されている各ユーザの習熟度の数値を基にして、習熟度が高いユーザをランク付け表示する。
【００４８】
本実施形態に係る画像処理装置１の特徴部分の動作を説明する。図９は、この動作を説明するフローチャートである。画像処理装置１を操作するユーザが、図２の認証部３３で個人認証される（ステップＳ１）。ユーザは、図３のモード選択キー５１を押して、コピー、ファクシミリ、スキャナ及びプリンタのうち利用したい機能を選択する（ステップＳ３）。
【００４９】
ユーザが案内キー６５を押したか否か判断される（ステップＳ５）。案内キー６５が押されると（ステップＳ５でＹｅｓ）、ステップＳ３で選択した機能の操作の習熟度が高いユーザがランク付けでタッチパネル５３に表示される（ステップＳ７）。案内キー６５が押されないと（ステップＳ５でＮｏ）、ユーザは操作パネル３１を利用してステップＳ３で選択した機能での操作（例えば両面コピーの操作）を実行するのに必要な設定をする（ステップＳ９）。
【００５０】
ユーザが案内キー６５を押したか否か判断される（ステップＳ１１）。案内キー６５が押されると（ステップＳ１１でＹｅｓ）、その案内キー６５を含む階層でのメニュー操作の習熟度が高いユーザがランク付けでタッチパネル５３に表示される（ステップＳ１３）。例えば、図５に示す両面コピーに関するメニューの案内キー６５が押されると、図８に示すような両面コピーの操作の習熟度が高いユーザがランク付けで表示される。一方、案内キー６５が押されない場合（ステップＳ１１でＮｏ）、ユーザがスタートキー５７を押したか否か判断される（ステップＳ１５）。
【００５１】
スタートキー５７が押されると（ステップＳ１５でＹｅｓ）、その操作の履歴がユーザと対応付けられて図２の記憶部３５に記憶される（ステップＳ１７）。そして、画像処理装置１はユーザが操作した内容の処理を実行する（ステップＳ１９）。例えば、両面コピーを実行する。これに対して、スタートキー５７が押されない場合（ステップＳ１５でＮｏ）、ステップＳ９に戻る。
【００５２】
画像処理装置１の取扱の習熟度として、上記の通り、（１）ユーザによって指定された機能の操作の習熟度、（２）ユーザによって指定された階層でのメニュー操作の習熟度を例にして説明した。取扱の習熟度として、他に、消耗品ユニット（トナーカートリッジ等）の交換や紙ジャムの対処についての習熟度が挙げられる。これら交換や対処の履歴を記憶しておき、習熟度を演算して、これら交換や対処の習熟度が高いユーザを知らせることができるようにしてもよい。
【００５３】
画像処理装置１は、オフィス等で多数のユーザにより共用されている。したがって、ユーザの中には取扱に詳しい者もいる。画像処理装置１によれば、画像処理装置１の取扱の習熟度が高いユーザを知ることができるので、画像処理装置１の取扱に困ったユーザは、習熟度が高いユーザに取扱いかたを尋ねることにより、取扱いかたを簡単に理解することが可能になる。
【図面の簡単な説明】
【００５４】
【図１】本実施形態に係る画像処理装置のハードウェアの構成を示すブロック図である。
【図２】本実施形態に係る画像処理装置の特徴部分の機能ブロック図である。
【図３】タッチパネルにコピーモードのメニューが表示されている操作パネルの平面図である。
【図４】タッチパネルにコピーの応用機能に関するメニューが表示されている操作パネルの平面図である。
【図５】タッチパネルに両面コピーに関するメニューが表示されている操作パネルの平面図である。
【図６】本実施形態に係る画像処理装置の操作履歴の一例を示す図である。
【図７】初期状態から操作状態にされた設定項目を説明する図である。
【図８】タッチパネルに画像処理装置の取扱の習熟度が高いユーザがランク付けで表示されている操作パネルの平面図である。
【図９】本実施形態に係る画像処理装置の特徴部分の動作を説明するフローチャートである。
【符号の説明】
【００５５】
１・・・画像処理装置、３・・・制御部、５・・・画像読取部、７・・・画像記録部、９・・・表示部、１１・・・操作部、１３・・・モデム、１５・・・ＮＣＵ、１７・・・ＲＯＭ、１９・・・ＲＡＭ、２１・・・画像メモリ、２３・・・コーデック、２５・・・ＬＡＮインターフェース、２７・・・バス、３１・・・操作パネル、３３・・・認証部、３５・・・記憶部、３７・・・演算部、３９・・・案内部、５１・・・モード選択キー、５３・・・タッチパネル、５５・・・テンキー、５７・・・スタートキー、５９・・・リセットキー、６１・・・クリアキー、６３・・・設定キー、６５・・・案内キー、Ｌ・・・公衆電話回線
【図１】
2008054242.tif 000003
【図２】
2008054242.tif 000004
【図３】
2008054242.tif 000005
【図４】
2008054242.tif 000006
【図５】
2008054242.tif 000007
【図６】
2008054242.tif 000008
【図７】
2008054242.tif 000009
【図８】
2008054242.tif 000010
【図９】
2008054242.tif 000011